(57)【要約】【課題】  ネジによって矢軸に矢尻または矢筈を着脱自在に取り付けることができる矢を提供する。【解決手段】  矢は、円筒状の矢軸１の前方端１ａに矢尻２が装着され、後方端１ｂに矢筈３が装着されている。矢軸１の後方端１ｂの近傍には、複数枚の羽根４が固定されている。そして、矢軸１と矢尻２の間に第１のアタッチメント５が介在され、矢軸１と矢筈３との間に第２のアタッチメント６が介在される。上記の構成によれば、矢軸１の先端に装着されるアタッチメント５，６にネジ部５２，６３が形成されていることから、矢軸１そのものにネジ山を形成する必要がないので、薄肉で構成される矢軸１の強度を維持させ、また、矢軸１の先端にネジ山を成形させる必要がない。【選択図】  図１
0003161818.tif 000002
【実用新案登録請求の範囲】
【請求項１】
矢軸の先端に装着されるアタッチメントと、このアタッチメントに設けられたネジ部と、このネジ部に螺合して着脱自在に設けられた先端部とを備えたことを特徴とする矢。
【請求項２】
前記矢軸の先端は前方端であり、前記先端部は矢尻である請求項１記載の矢。
【請求項３】
前記矢軸は、円筒状の矢軸であり、前記アタッチメントは、矢軸内部に挿入される本体部と、この本体部に連続しつつ矢軸外方に突出するネジ部とを備えたアタッチメントであり、上記ネジ部には雄ネジが刻設されるとともに、矢尻の内部には上記ネジ部に螺合する雌ネジが刻設されている請求項２記載の矢。
【請求項４】
前記矢軸は、円筒状の矢軸であり、前記アタッチメントは、矢軸内部に挿入される本体部と、この本体部に連続されるとともに、該本体部との間に上記矢軸の肉厚相当の間隙を有しつつ円筒状に設けられたネジ部とを備えたアタッチメントであり、上記ネジ部の表面には雄ネジが刻設されるとともに、矢尻の内部の内部には上記ネジ部に螺合する雌ネジが刻設されている請求項２記載の矢。
【請求項５】
前記円筒状ネジ部は、軸線方向に複数のスリットが形成されたネジ部である請求項４記載の矢。
【請求項６】
前記矢軸の先端は後方端であり、前記先端部は矢筈である請求項１記載の矢。
【請求項７】
前記矢軸は、円筒状の矢軸であり、前記アタッチメントは、矢軸内部に挿入可能な円筒状の本体部と、この本体部に連続して上記矢軸の端縁に当接するフランジ部とを備えたアタッチメントであり、上記本体部の内部表面には雌ネジが刻設されるとともに、矢筈の表面には雄ネジが刻設されている請求項６記載の矢。
【請求項８】
前記円筒状本体部は、軸線方向に複数のスリットが形成された本体部である請求項７記載の矢。
【考案の詳細な説明】
【技術分野】
【０００１】
本考案は、専ら弓道用に使用される矢に関し、特に、矢尻または矢筈などの先端部を交換可能に構成された矢に関するものである。
【背景技術】
【０００２】
一般的な矢は、円筒状に構成された矢軸の一端（前方端）に矢尻が固着され、他端（後方端）には矢筈が固着されており、また、後方端付近の表面に羽根が取り付けられる構成であった。この種の矢に使用される矢尻または矢筈は、接着剤等によって矢軸に強固に固定されるものであるが、的に衝突する矢尻は消耗が激しく、また、弓の弦から推進力の伝達を受ける矢筈は、弦との摩擦によって摩耗が著しいうえに、競技では先発の矢が的に当たった状態において後発の矢が接触することにより破損することがあり、両者ともに交換すべき需要が高かった。
【０００３】
そこで、従来は、矢尻または矢筈の接着状態を解いて、両者を矢軸から取り除いたうえで、交換用の矢尻または矢筈を接着していた。しかしながら、これらの交換作業は専門業者において行わなければ、矢軸が変形する結果となる可能性があり、矢尻または矢筈を交換することに対する経済的負担が大きかった。特に、児童や生徒の部活動として弓道を習う者にとっては、頻繁に交換作業を業者に依頼することもできず、これらの消耗に対する処理に苦慮しているところであった。
【０００４】
また、矢は、本来的には竹で製造されていたが、最近では、アルミニウム製、ジュラルミン製またはカーボン製などの矢軸が存在し、これら金属材料を利用してネジによる着脱方式も提案されている（特許文献１および２参照）。
【先行技術文献】
【特許文献】
【０００５】
【特許文献１】特開２００５−２６５２７７号公報（３ページ０００９）
【特許文献２】特開２００９−５８１８４号公報（４ページ００１９）
【考案の概要】
【考案が解決しようとする課題】
【０００６】
上記の従来技術（特許文献１および２に記載されている発明の内容）は、矢軸の材質に特徴を有するもの（特許文献１）または羽根に特徴を有するもの（特許文献２）である。そして、これらの文献には、本来的な特徴とは関係なく、矢軸が金属製であることから、ネジによって矢尻または矢筈を着脱自在に取り付ける可能性を示唆するのみであり、具体的なネジの構成については明らかにされていない。すなわち、矢軸の一部にネジを刻設し、それに螺合するように矢尻または矢筈を構成することが想定されているのみである。
【０００７】
しかしながら、矢軸は薄肉のパイプ状に構成されるものであり（例えば、特許文献１では、矢軸の肉厚を０．４ｍｍ以上０．７ｍｍ以下とすることが好ましいとされている）、このような薄肉のパイプ状構造において、ネジ山を削り出しによって形成することは、この肉厚を一層薄くすることとなり、矢軸の両端の強度を十分に確保することができなくなるものであった。また、パイプ両端形状をネジ形状に成形することを想定しても、パイプ形状成形時には、成形型をパイプ内部に設置することは困難であり、パイプ形状成形後において改めてネジ形状を成形する場合には、ネジ山が精密に形成されず、結果的に矢尻または矢筈との間に遊びが存在する結果となり得るものであった。つまり、上記特許文献には、実現可能な程度に開示されているものではなく、その具体的構成が未だ解決されていないものであった。
【０００８】
本考案は、上記諸点にかんがみてなされたものであって、その目的とするところは、ネジによって矢軸に矢尻または矢筈を着脱自在に取り付けることができる矢を提供することである。
【課題を解決するための手段】
【０００９】
そこで、本考案は、矢軸の先端に装着されるアタッチメントと、このアタッチメントに設けられたネジ部と、このネジ部に螺合して着脱自在に設けられた先端部とを備えたことを特徴とする矢を要旨としている。
【００１０】
上記の構成によれば、矢軸の先端に装着されるアタッチメントにネジ部が形成されていることから、矢軸そのものにネジ山を形成する必要がないので、薄肉で構成される矢軸の強度を維持させ、また、矢軸の先端にネジ山を成形させる必要がない。なお、先端部としては、矢尻または矢筈が想定されるが、いずれもネジ山を形成することができる程度の十分な肉厚を有するものである。
【００１１】
上記において、アタッチメントとは、矢軸と先端部との中間に介在される部材の全般を意味し、ネジ部とは、雄ネジまたは雌ネジが刻設されている部分を意味する。従って、アタッチメントの表面全域にネジが刻設されている場合には、アタッチメントの当該表面全域がネジ部となる場合も含まれる。
【００１２】
上記考案において、前記矢軸の先端は前方端であり、前記先端部は矢尻である構成とすることができる。このような構成によれば、矢尻のみをネジによって着脱可能とすることができ、矢筈は従来どおりの固定式とすることができる。
【００１３】
さらに、上記構成の考案において、前記矢軸は、円筒状の矢軸であり、前記アタッチメントは、矢軸内部に挿入される本体部と、この本体部に連続しつつ矢軸外方に突出するネジ部とを備えたアタッチメントであり、上記ネジ部には雄ネジが刻設されるとともに、矢尻の内部には上記ネジ部に螺合する雌ネジが刻設されている構成とすることができる。
【００１４】
上記構成によれば、アタッチメントを矢軸に装着した状態において、その一部が矢軸から突出することとなり、この突出する部分がネジ部に供されることとなる。そして、このネジ部に雄ネジを刻設することで、矢尻には雌ネジを刻設することとなるが、矢尻は、矢軸先端の一部に被さるように取り付けるいわゆる「かぶせ式」（弓道競技規則第２３条第２項（エ）に適合するもの）となるように、矢軸の先端が挿入できる程度の内径を有する凹部が形成されており、この凹部の内側に雌ネジを刻設することで、上記雄ネジに螺合させることが可能となる。なお、矢尻の凹部に刻設される雌ネジは、開口側先端には設けられず、凹部内側表面の途中から刻設されることによって、当該雌ネジがアタッチメントの雄ネジに対し十分に螺合されるとき、凹部の開口側先端は矢軸の先端表面に到達することとなるから、上記「かぶせ式」に適合させることができる。また、アタッチメントの一部が矢軸に挿入されることから、当該アタッチメントが矢全体の重量バランスを調整するためのウエイトとして機能することとなり得る。
【００１５】
また、上記考案において、前記矢軸は、円筒状の矢軸であり、前記アタッチメントは、矢軸内部に挿入される本体部と、この本体部に連続されるとともに、該本体部との間に上記矢軸の肉厚相当の間隙を有しつつ円筒状に設けられたネジ部とを備えたアタッチメントであり、上記ネジ部の表面には雄ネジが刻設されるとともに、矢尻の内部の内部には上記ネジ部に螺合する雌ネジが刻設されている構成とすることができる。
【００１６】
上記構成によれば、アタッチメントを矢軸に装着したとき、ネジ部が矢軸の表面側に配置されることとなり、このネジ部に矢尻を螺合させれば、必然的に矢尻が矢軸の先端に被さる状態となり、いわゆる「かぶせ式」（前掲弓道競技規則）に適合させることができる。
【００１７】
さらに、上記考案において、前記円筒状ネジ部は、軸線方向に複数のスリットが形成されたネジ部によって構成することができる。このような構成であれば、アタッチメントを矢軸の先端に装着する際、ネジ部はスリットの間隙を拡げるようにして、その径を拡大させることができるとともに、その装着後にネジ部に矢尻を螺合させることによって、スリットの間隙を小さくさせて、矢尻の雌ネジの径まで縮小させることができる。
【００１８】
他方、上記考案のうち、第１に示した考案において、前記矢軸の先端は後方端であり、前記先端部は矢筈である構成としてもよい。このような構成であれば、矢筈のみを着脱可能に装着し、矢尻については固定式により装着することができる。また、上述の矢尻についてネジによる着脱可能な構成とする場合には、矢軸の両端について着脱可能とすることもできる。
【００１９】
さらに、上記考案において、前記矢軸は、円筒状の矢軸であり、前記アタッチメントは、矢軸内部に挿入可能な円筒状の本体部と、この本体部に連続して上記矢軸の端縁に当接するフランジ部とを備えたアタッチメントであり、上記本体部の内部表面には雌ネジが刻設されるとともに、矢筈の表面には雄ネジが刻設されている構成とすることができる。
【００２０】
上記のような構成であれば、アタッチメントを矢軸の後方端に装着した状態において、矢軸の内部にネジ部が配置されることとなるから、このネジ部に矢筈の雄ネジを螺合することによって当該矢筈を装着することができる。この場合、矢筈は矢軸の内部に挿入される状態となるから、いわゆる「埋込み式」（弓道競技規則第２３条第２項（オ））に適合させることができるのである。このとき、矢軸の内部に挿入される本体部は、フランジ部によって挿入範囲が限定されることから、矢軸の後方端の所定範囲にアタッチメントを介在させることが可能となるのである。また、アタッチメント部分が矢軸の後方端に装着されることによって、矢全体の重量バランスを調整するためのウエイトとして機能させることもできる。なお、上述のように、矢尻についてもアタッチメントを介在させる構成とする場合には、矢尻のアタッチメントと、矢筈のアタッチメントの双方によって、重量バランスを調整することができる。
【００２１】
また、上記考案において、前記円筒状本体部は、軸線方向に複数のスリットが形成された本体部によって構成してもよい。このような構成であれば、円筒状本体部を矢軸の内部に挿入する際には、スリットの間隙を小さくすることにより、外径を縮小させることができることから、矢軸内部への挿入が容易となる。そして、矢尻を円筒状本体内部にねじ込むことにより、当該スリットの間隙を拡げることとなり、円筒状本体の外形を拡大させることが可能となる。
【考案の効果】
【００２２】
請求項１に記載の考案によれば、矢軸の先端に装着される先端部（矢尻または矢筈）を着脱可能に装着することができる。従って、矢軸の両端のいずれか一方または双方を上記構成とすることにより、矢尻および矢筈のいずれか一方または双方を交換することが容易となる。そして、ネジによって着脱させる構成であるから、専門業者によることなく利用者が自ら行うことができることとなる。
【００２３】
請求項２に記載の考案によれば、矢尻の交換が容易となるから、頻繁に的に当てる矢（すなわち実践的な練習用または競技用として使用する矢）において、矢筈よりも遙かに損傷の著しい矢に採用することによって、矢の寿命を長期化させることができる。なお、矢筈についてもアタッチメントを介在させた構成にすれば、矢の全体的な寿命を長期化させることが可能となる。
【００２４】
請求項３に記載の考案によれば、アタッチメントの本体部がウエイトとして機能し、ネジ部が矢尻との装着のために機能することとなるから、損傷または摩耗した矢尻を取り除き、同種の矢尻を装着することにより、重量バランスを変えることなく矢尻の交換を行うことができる。さらに、重量バランスを変更することを目的として他の種類の矢尻に交換することも容易となる。
【００２５】
請求項４に記載の考案によれば、アタッチメントのネジ部が矢軸の表面側に配置されることとなるので、単純に矢尻の雌ネジをアタッチメントの雄ネジに螺合させることによって、弓道競技規則に適合した矢尻の装着状態を形成させることができる。
【００２６】
さらに、請求項５に記載の考案によれば、円筒状ネジ部に矢尻を装着することにより、当該円筒状ネジ部の径が縮小することとなるから、この円筒状ネジ部の内部表面が矢軸の外部表面に密着することとなり、アタッチメントの本体部を矢軸に接着しない状態においても、上記密着による摩擦抵抗によりアタッチメント全体を矢軸に固定させることが可能となる。しかも、スリットによって分割された各円筒状ネジ部の側壁部分は、個別の弾性力によって矢尻の凹部内面に付勢されることから、両者の螺合状態が緩むことを抑制することとなる。
【００２７】
請求項６に記載の考案によれば、矢筈の交換が容易となり、的に当てない矢（すなわち弓引き練習用として使用する矢）において、弦との摩擦が著しい矢について使用すれば、その矢の寿命を長期化させることができる。なお、上述のように矢尻について交換可能なアタッチメントを介在させる構成を併用することにより、実際に的に当てる矢についても、その寿命を長期化させることができることとなる。
【００２８】
請求項７に記載の考案によれば、円筒状本体部を矢軸の内部に挿入した状態で、矢筈を装着することができることから、矢筈を「埋込み式」により装着することができる。また、アタッチメントが介在することによって、矢軸の後方端にもウエイトを配置することができることから、矢軸の前方端に設けられるウエイトとともに重量バランスを調整することができる。また、アタッチメントのフランジ部が矢軸の端縁に当接することとなることから、矢筈に対し軸線方向の衝撃が作用するときであっても、当該衝撃がフランジ部全体に拡散されるため、当該衝撃力を緩和させる効果が期待される。
【００２９】
さらに、請求項８に記載の考案によれば、アタッチメントのネジ部に矢筈をねじ込むことによって、円筒状本体部の外径を拡大させることができるので、この外径の拡大により、当該円筒状本体の外側表面が矢軸の内面に強く密着することとなるので、アタッチメントを接着することなく矢軸に固定することが可能となる。さらに、スリットによって分割された各円筒状本体部の側壁部分は、個別の弾性力によって矢筈の表面に付勢し、ネジの密着状態を強固にするので、その螺合状態を安定させることとなる。
【図面の簡単な説明】
【００３０】
【図１】本考案の第一の実施形態を示す説明図である。
【図２】矢尻の装着状態を示す断面図である。
【図３】矢筈の装着状態を示す断面図である。
【図４】第二の実施形態を示す説明図である。
【図５】第二の実施形態の詳細を示す断面図である。
【図６】第三の実施形態を示す説明図である。
【図７】第四の実施形態を示す説明図である。
【考案を実施するための形態】
【００３１】
以下、本考案の実施の形態を図面に基づいて説明する。本考案の第一の実施形態を図１に示す。この図に示すように、矢Ａは、円筒状の矢軸１の前方端１ａに矢尻２が装着され、後方端１ｂに矢筈３が装着されるものである。なお、矢軸１の後方端１ｂの近傍には、複数枚の羽根４が固定されている。そして、本実施形態は、矢軸１と矢尻２の間に第１のアタッチメント５が介在され、また、矢軸１と矢筈３との間に第２のアタッチメント６が介在されたものである。
【００３２】
第１のアタッチメント５は、矢尻２の前方端１ａの内部に挿入可能な本体部５１と、これに連続するネジ部５２とで構成されており、本体部５１は円柱状に成形され、矢軸１に遊嵌される。これに対し、ネジ部５２は、本体部５１よりも大きい径で構成され、本体部５１との境界部分が矢軸１の端縁に当接するように構成されている。従って、第１のアタッチメント５を矢軸１に装着するとき、本体部５１のみが矢軸１の内部に挿入され、ネジ部５２は、矢軸１の同軸上に突出するように配置されるのである。また、ネジ部５２の表面には、その全体に雄ネジが刻設されている。なお、第１のアタッチメント５の本体部５１は、矢軸１との間で接着剤によって固着されるものである。
【００３３】
この第１のアタッチメント５に装着される矢尻２には、アタッチメント５を挿入するための凹部２１が穿設されており、この凹部２１の内部表面には雌ネジ２２が刻設されている。この雌ネジ２２は、凹部２１の開口側端部の周辺に刻設されておらず、この開口側端部は上記アタッチメント５のネジ部５２に螺合しない構成となっている。なお、この矢尻２の先端は、先細り状の尖端部２３が構成されている。
【００３４】
他方、第２のアタッチメント６は、全体的に円筒状に構成された本体部６１と、その一端に構成されたフランジ部６２とを備えている。本体部６１は、外径は矢軸１の内径よりも小さく構成され、当該矢軸１の内部に挿入できるものであり、フランジ部６２の外径は、矢軸１の外径とほぼ同一の寸法で構成されている。これにより、第２のアタッチメント６は、本体部６１が矢軸１の内部に遊嵌されるとともに、フランジ部６２が矢軸１の後方端１ｂの端縁に当接した状態で装着することができる。また、本体部６１およびフランジ部６２は、連続した内部表面６３を備えており、この内部表面６３に雌ネジが刻設されて（ネジ部６３が構成されて）いる。なお、この第２のアタッチメント６の本体部６１も接着剤を使用して矢軸１に固着されるものである。
【００３５】
この第２のアタッチメント６に装着される矢筈３は、全体として略円柱状の本体部３１と、この本体部３１の軸線延長上に配置されるネジ部３２とを備えている。このネジ部３２には雄ネジが刻設されており、上記第２のアタッチメント６のネジ部６３に螺合できるように構成されている。なお、矢筈３の本体部３２のうち、ネジ部３２が設けられていない側には、通常の矢筈と同様に、弓の弦を掛止するための掛止用溝３３が設けられている。従って、矢筈３のネジ部３２をアタッチメント６のネジ部６３に螺合させることによって、矢筈３の掛止用溝３３が矢軸１の後端に連続する状態で配置されるようになっている。
【００３６】
ここで、矢軸１、矢尻２および第１のアタッチメント５の接合状態について詳述する。図２は、第１のアタッチメント５を矢軸１の前方端１ａに装着したうえ、矢尻２を螺合した状態を示している。
【００３７】
この図に示すように、矢軸１の先端１ａに装着したアタッチメント５の本体部５１は、当該矢尻１の内部に挿入されている。そして、ネジ部５２との境界においてネジ部５２の境界面が矢軸１の先端１ａの端縁に当接した状態となっている。この状態で、矢軸１の先端１ａからネジ部５２が外方に突出する状態となるのである。このように、矢軸１から突出するネジ部５２に対して、矢尻２の凹部２１に設けたネジ部２２を螺合するのである。
【００３８】
矢尻２のネジ部２２は、凹部２１の開口端２１ａの近傍には設けられておらず、しかも、この開口端２１ａの近傍は、矢軸１の外径よりも大きい径で構成されている。従って、上記両ネジ部２２，５２が十分な範囲で螺合することにより、矢尻２とアタッチメント５が強固に螺着されることとなり、また、矢尻２の凹部２１の開口端２１ａは、矢軸１の外部表面に重なる状態となるのである。このように、矢尻２の開口端２１ａが矢軸１の外部表面に重なることにより「かぶせ式」とすることができるのである。
【００３９】
次に、矢軸１、矢筈３および第２のアタッチメント６の接合状態について詳述する。図３は、第２のアタッチメント６を矢軸１の後方端１ｂに装着し、さらに、矢筈３をアタッチメント６に装着した状態を示している。
【００４０】
この図に示すように、第２のアタッチメント６は、矢軸１の後方端１ｂの内部に挿入され、フランジ部６２が端縁に当接する状態で停止している。このアタッチメント６の内側表面には雌ネジが刻設されたネジ部６３が構成されており、矢筈３のネジ部３２が螺合されている。矢筈３のネジ部３２は、上記アタッチメント６のネジ部６３に合うように小径に形成され、本体部３１は外径を矢軸１（およびフランジ部６２）の外径と同程度の大径に形成されており、矢筈３を螺進させると、ネジ部３２が十分にアタッチメント６の内部を前進した後、本体部３１がフランジ部６２に当接した状態で停止することとなる。
【００４１】
上記のように、矢筈３のネジ部３２がアタッチメント６の内部に埋没するまで、それを螺進させることにより、矢筈３の本体部３１が、矢軸１に連続して後方端１ｂから突出する状態とすることができる。このとき、矢筈３のネジ部３２が矢軸１に挿入した「埋込み式」となるのである。
【００４２】
さらに、上記のように、矢筈３の本体部３１がアタッチメント６のフランジ部６２に当接することにより、矢筈３の本体部３１と、矢軸１の後方端１ｂの端縁との中間には、当該フランジ部６２が介在されていることとなり、しかも、矢軸１の端縁の全体にフランジ部６２が当接していることから、矢筈３に対して外部から衝撃が与えられた際には、その衝撃力がフランジ部６２を介して矢軸１の端縁全体に伝達させることとなり、局所的な衝撃力が緩和されることとなる。これにより、矢軸１の端縁が衝撃によって変形することを抑制することが期待されるものである。
【００４３】
本考案の第一の実施形態は上記のとおりであるから、矢尻２および矢筈３は、いずれもアタッチメント５，６に対して、ネジによって装着させるものであるから、この着脱には、それぞれ矢尻２および矢筈３を回転させることによって可能となる。この矢尻２および矢筈３の回転は手で行うこともでき、強く回転させるとしてペンチ等の汎用される工具を使用する程度で実現できる。
【００４４】
また、それぞれのアタッチメント５，６は、金属製で構成することにより、所定の重量を得ることができることから、これらの重量を利用して重量バランスの調整を行うことができる。すなわち、一般的には、飛行中の矢は矢尻２が前向きとなるため、矢の中央よりも矢尻２に近い位置に重心を設定するものであり、そのためには、当該矢尻２に錘を付けることがあった。そこで、第１のアタッチメント５の本体部５１の軸線方向長さを変化させることにより、上記重心の位置を調整することができるのである。また、第２のアタッチメント６についても軸線方向の長さを調整すれば、全体重量および重心位置を調整することができることとなる。さらに、上記のように矢尻２および矢筈３が交換可能であることから、これらの材質または大きさ等を変化させることによっても、全体重量および重心位置を調整することが可能となるのである。
【００４５】
なお、上述のとおり、第一の実施形態は、矢尻２および矢筈３をアタッチメント５，６によって着脱可能に装着しているが、いずれか一方についてのみ着脱可能に構成してもよい。この場合、他方については従来どおり矢軸１に固着させることとなるが、破損または摩耗の著しい側が着脱可能であれば、矢の寿命を長期化させることができることとなり、十分に効果的であることは言うまでもない。
【００４６】
次に、本考案の第二の実施形態について説明する。この実施形態は、矢尻２および第１のアタッチメント５を変形したものである。
【００４７】
すなわち、図４に示すように、第１のアタッチメント１０５は、本体部１５１の外周に、さらにネジ部１５２を重ねて設けたものである。本体部１５１は円柱状であるのに対し、ネジ部１５２は円筒状であり、この両者は、一方で連続するが他方で連続しておらず、その結果として、本体部１５１とネジ部１５１の間には、円筒状の空間部１５３が形成されている。そして、この空間部１５３は、矢軸１の先端１ａが挿入できる大きさおよび形状に構成されている。
【００４８】
従って、図５に示すように、アタッチメント１０５の本体部１５１を矢軸１の先端１ａに挿入するとき、ネジ部１５２は、当該矢軸１の先端１ａの外周面上に位置することとなる。また、本体部１５１とネジ部１５２との連続部１５４は、アタッチメント１０５の挿入方向へのストッパとして機能するものである。これにより、連続部１５４が矢軸１の先端１ａの端縁に当接するまで、本体部１５１を矢軸１の内部に挿入することによって、アタッチメント１０５の配置を完了するのである。なお、このアタッチメント１０５は接着剤によって矢軸１の内面に固着することによって、ネジ部１５２を矢軸１に固定的に装着することができるものである。
【００４９】
他方、矢尻１０２は、第一の実施形態の矢尻２とほぼ同様であるが、本実施形態では、凹部１２１の内部表面の全体に雌ネジが刻設されたネジ部１２２を有している。すなわち、矢筈１０２の凹部１２１の開口端１２１ａは、ネジ部１２２がアタッチメント１０５のネジ部１５２に螺合することによって、当然に矢軸１の表面に位置することとなるから、両者を螺合させれば矢尻１０２は「かぶせ式」を形成することとなるのである。
【００５０】
第二の実施形態は、上記のとおりの構成であるから、矢尻１０２とアタッチメント１０５との螺合の状態（アタッチメント１０５の螺進具合）にかかわりなく、矢尻１０２をアタッチメント１０５に装着させれば、矢尻１０２は矢軸１の表面に被さる状態となり、容易に弓道競技規則を満たす構成とすることができるのである。
【００５１】
次に、第三の実施形態について説明する。これも第一実施形態の矢尻２およびアタッチメント５を変形したものである。なお、基本的な構成は第二実施形態と同様であるが、第二実施形態のアタッチメント１０５のネジ部１５２にスリット部を設けた構成である。
【００５２】
すなわち、図６に示すように、第三の実施形態では、アタッチメント２０５は、円柱状の本体部２５１と、その外周側に設けられた略円筒状のネジ部２５２で構成されている。そして、ネジ部２５２には、軸線方向に複数のスリット部２５５，２５６，２５７，２５８が設けられている。これらのスリット部２５５〜２５８は、本体部２５１とネジ部２５２とが連続する連続部２５４に至らず、開口側先端から連続部２５４の直前までの範囲に設けられている。なお、このような構成のネジ部２５２に対して、これに螺合する矢尻は第二実施形態と同様の構成の矢尻１０２が使用される。
【００５３】
このような構成であるから、スリット部２５５〜２５８によって分割されるネジ部２５２は、個別に弾性変形が可能となり、本体部２５１を矢軸１に挿入させる際、外向きに反り返るように変形することにより、その挿入を容易にすることとなる。また、その後、アタッチメント２０５に矢尻１０２を螺合させることによって、上記の反り返りは解消され、通常の略円筒状のネジ部２５２が形成されることとなる。さらに、上記反り返りは、矢尻１０２の螺合によって矯正させることとなることから、この反り返り方向に弾性力が作用することが予想され、そのような弾性力の作用によって、アタッチメント２０５のネジ部２５２は矢尻１０２のネジ部１２２に対して付勢することとなり、これにより、両者のネジ部１２２，２５２は押圧されつつ螺合状態が維持されることとなる。従って、両者の螺合状態は強固なものとなることが予想され得るものである。
【００５４】
なお、上記の構成において、ネジ部２５２が設けられているネジ側表面に勾配を設けた構成としてもよい。すなわち、ネジ部２５２の開口側先端の外径を大きくし、連結部２５４に接近するにしたがって徐々に外径を小さく構成するのである。このように構成すれば、矢尻１０２の螺合により、アタッチメント２０５のネジ部２５２の外径は、矢尻１０２のネジ部１２２の径に沿って縮小されることとなり、さらに、ネジ部２５２の内径も縮小されることとなる。このとき、各スリット部２５５〜２５８は、それぞれ間隙を小さくすることによって、上記のような径の縮小に対応し、全体として内径が縮小されたネジ部２５２は、矢軸１の外側表面を強固に押圧することとなるのである。そして、このネジ部２５２の押圧によって、アタッチメント２０５は矢軸１に対して挟持するようになり、相互の摩擦抵抗により一体化されることとなるのである。
【００５５】
上記のような構成により、アタッチメント２０５の本体部２５１は、接着剤等によって強固に固着されていないとも、上記ネジ部２５２の挟持によって固定されることとなるから、仮に接着剤等の接着強度が不足した場合でも矢尻１０２が矢軸１から離脱することを抑制することとなり、場合によっては、接着剤等の使用を仮止めとして使用することも可能となり得る。
【００５６】
次に、第四の実施形態について説明する。この実施形態では、第一の実施形態における第２のアタッチメント６を変形したものである。
【００５７】
すなわち、図７に示すように、第２のアタッチメント１０６は、略円筒状の本体部１６１に複数のスリット部１６５，１６６，１６７，１６８を設けた構成となっている。これらのスリット部１６５〜１６８は、先端からフランジ部１６２の直前までの範囲に設けられている。
【００５８】
従って、第２のアタッチメント１０６を矢軸１に挿入する際、スリット部１６５〜１６８によって分割された個々の本体部１６１を内向きに反り返らせることで、当該本体部１６１の外径を小さくし、その挿入を容易にすることができるのである。また、矢筈３のネジ部３２をアタッチメント１０６の内部に侵入させることによって、当該ネジ部３２が上記本体部１６１の反り返りを矯正することとなり、その結果として、本体部１６１は通常の径に復元させることとなるのである。
【００５９】
本実施形態は、上記のような構成であるから、矢筈３のネジ部３２がアタッチメント１０６の本体部１６１の反り返りを矯正した状態において、その弾性力が矢筈３のネジ部３２に作用することとなり、このネジ部３２に螺合するアタッチメント１０６の雌ネジは、矢筈３のネジ部３２を押圧することとなるから、両者は強く密着することとなる。そのため、螺合状態が緩むような事態を抑制することができるのである。
【００６０】
また、上記構成において、アタッチメント１０６の本体部１６１の内部表面（もネジが刻設されている面）をテーパ状としてもよい。すなわち、アタッチメント１０６の本体部１６１の内部表面を、フランジ部１６２の付近から先端に向かって徐々に小径となるように構成するのである。
【００６１】
このように構成すれば、矢筈３のネジ部３２がアタッチメント１０６の内部に侵入することによって、本体部１６１が外方に膨らみ、その外径を拡大させることとなる。この外径の拡大によって、当該本体部１６１の外側表面は、矢軸１の内部において、その内面に当接することとなり、強固に密着することによって固定的に配置させることができる。
【００６２】
従って、基本的には、第２のアタッチメント１０６は矢軸１に対して接着剤等で固定するものであるが、これを仮止めとしており、上記本体部１６１の外径の拡大によって固定させる構成とすることも可能となる。なお、第２のアタッチメント１０６には、フランジ部１６２が矢軸１の外方に露出して存在するため、このフランジ部１６２をペンチ等の工具によって固定しつつ、矢筈３を装着すれば、上記のような仮止めのための接着剤も不要となり得る。
【００６３】
本考案の実施の形態は上記のとおりであるが、本考案がこれらに限定されるものではなく、その趣旨の範囲内において種々の態様とすることができるものである。その例として、上記に示した各実施形態では、矢尻２，１０２は「かぶせ式」とし、矢筈３は「埋込み式」を原則としたが、これは、それぞれの個所で説明したように弓道競技規則に従って構成とするためのものであり、競技上のルールに拘束されない練習用の矢の場合には、双方ともに「かぶせ式」としてもよく、また、両者を「埋込み式」とするように構成してもよい。さらには、矢尻２，１０２を「埋込み式」とし、矢筈３を「かぶせ式」で構成しても同様の効果の矢を設けることは可能である。また、矢尻２，１０２の先端形状は、例示として「円錐形」を示しているが、この形状に限定されるものではなく、弓道競技規則に記載されている「平題形」や「椎形」であってもよい。さらに、矢筈３の先端形状や掛止用溝の形状においても、実施形態に限定されるものではなく、種々の形状を採ることができる。
【符号の説明】
【００６４】
１  矢軸
１ａ  矢軸の前方端
１ｂ  矢軸の後方端
２，１０２  矢尻
３  矢筈
４  羽根
５，１０５，２０５  第１のアタッチメント
６，１０６  第２のアタッチメント
２１，１２１  矢尻の凹部
２１ａ，１２１ａ  凹部の開口端縁
２２，１２２  矢尻の雌ネジ（ネジ部）
２３  矢尻の尖端
３１  矢筈の本体部
３２  矢筈のネジ部
３３  矢筈の掛止用溝
５１，１５１，２５１  第１のアタッチメントの本体部
５２，１５２，２５２  第１のアタッチメントのネジ部
６１，１６１  第２のアタッチメントの本体部
６２，１６２  第２のアタッチメントのフランジ部
６３，１６３  第２のアタッチメントの内部表面
１５３  第１のアタッチメントの円筒状空間部
１５４  第１のアタッチメントの連続部
１６５，１６６，１６７，１６８  第２のアタッチメントのスリット部
２５５，２５６，２５７，２５８  第１のアタッチメントのスリット部
【図１】
0003161818.tif 000003
【図２】
0003161818.tif 000004
【図３】
0003161818.tif 000005
【図４】
0003161818.tif 000006
【図５】
0003161818.tif 000007
【図６】
0003161818.tif 000008
【図７】
0003161818.tif 000009